(57)【要約】      （修正有）【課題】精度よく外気温を測定することを可能にした撮像装置を提供する。【解決手段】撮像素子を有する撮像装置において、撮像装置の動画撮影及びライブビュー撮影を制御する制御部と、導電性のある樹脂材料によって成形される外装部品と、外部機器との接続部となる第１の金属部材と、金属部材と接続される第２の金属部材１１５と撮像装置の内部温度を測定する第１の温度測定手段と、外気温度を測定する第２の温度測定手段２０を備え、第２の温度測定手段は、外装部品の撮像装置天面を覆う部分の内部かつ、第２の金属部材の近傍に配置され、制御部は、第１の温度測定手段と、第２の温度測定手段によって取得される温度の差分値があらかじめ設定される所定の値を超えているか否かを判定し、超えている場合には動画撮影及びライブビュー撮影を停止もしくは、開始させない。【選択図】図７
2015186064.tif 000002
【特許請求の範囲】
【請求項１】
撮像素子を有する撮像装置において、
前記撮像装置の動画撮影及びライブビュー撮影を制御する制御部（１０）と、
導電性のある樹脂材料によって成形される外装部品（１０１）と、
外部機器との接続部となる第１の金属部材（１０２）と、
前記金属部材と接続される第２の金属部材（１１５）と
前記撮像装置の内部温度を測定する第１の温度測定手段（１９）と、
外気温度を測定する第２の温度測定手段（２０）を備え、
前記第２の温度測定手段（２０）は、前記外装部品（１０１）の撮像装置天面を覆う部分の内部かつ、前記第２の金属部材（１１５）の近傍に配置され、
前記制御部（１０）は、
前記第１の温度測定手段（１９）と、前記第２の温度測定手段（２０）によって取得される温度の差分値があらかじめ設定される所定の値を超えているか否かを判定し、
超えている場合には動画撮影及びライブビュー撮影を停止もしくは、開始させないことを特徴とする撮像装置。
【請求項２】
前記撮像装置は閃光装置（１０３）を内蔵しており、前記第２の温度測定手段（２０）は前記閃光装置（１０３）によって覆われない箇所に、配置されることを特徴とする請求項１に記載の撮像装置。
【請求項３】
前記第１の温度測定手段（１９）は、第１の温度計であり、局所的に高温となる部品（１０９）近傍もしくは、推奨される使用環境温度を超える恐れのある電気部品近傍に配置されることを特徴とする請求項１又は請求項２に記載の撮像装置。
【請求項４】
前記第２の温度測定手段（２０）は、基板（１１４）に実装される第２の温度計（２０）であり、前記第２の温度計（２０）は前記基板（１１４）内部の配線によって、前記第２の金属部材（１１５）と、前記制御部（１０）と接続されることを特徴とする請求項３に記載の撮像装置。
【請求項５】
前記基板（１１４）内部の配線において、前記第２の温度計（２０）と前記第２の金属部材（１１５）間の配線幅は、前記第２の温度計（２０）と前記制御部（１０）間の配線幅よりも、太いことを特徴とする請求項４に記載の撮像装置。
【請求項６】
前記第２の金属部材（１１５）は、前記基板（１１４）内部の配線によって、前記外装部品（１０１）と接続を持ち、前記第２の金属部材（１１５）と前記外装部品（１０１）間の配線幅は、前記第２の温度計（２０）と前記第２の金属部材（１１５）間の配線幅よりも、太いことを特徴とする請求項５に記載の撮像装置。
【請求項７】
前記撮像装置は、システム制御部（１０）によって、前記第１の金属部材（１０２）に前記外部機器が装着されているか否かを判定し、前記外部機器が装着されている間は、装着直前の温度を外気温として扱うことを特徴とする請求項６に記載の撮像装置。
【発明の詳細な説明】
【技術分野】
【０００１】
本発明は、温度計を備えた撮像装置に関し、特に外気温を精度よく測定するための温度計配置に関するものである。
【背景技術】
【０００２】
従来の撮像装置において、温度計を備えたものがある。近年、先述した温度計を備えた撮像装置において、外気温測定用とカメラ内部測定用の複数の温度計を備え、その温度計によって測定された温度関係に基づき、撮像装置の動作を制御する技術が開発されている。特許文献１には、プリンタ機構を内蔵する電子カメラにおいて、外気温測定用とペーパー温度測定用の複数の温度計を備えており、測定された温度の関係に基づいて、ペーパーの露光条件を自動的に設定変更したり、制限したりするといった技術が開示されている。
【先行技術文献】
【特許文献】
【０００３】
【特許文献１】特開２０００−３１０８２１号公報
【発明の概要】
【発明が解決しようとする課題】
【０００４】
しかしながら、上述の特許文献１に開示された従来技術では、デジタル一眼レフカメラにおける外気温度測定温度計の配置に関して、詳細に述べられてなく、温度計の配置箇所によっては、カメラの発熱による影響を受けてしまい、精度よく外気温を測定することが出来ない恐れがある。外気温と撮像装置内部の温度関係に基づきカメラ動作の制御を行う際には、実際の外気温とは異なる温度を測定してしまい、精度よくカメラ動作を制御できない恐れがある。
【０００５】
そこで、本発明の目的は、精度よく外気温を測定することを可能にした撮像装置を提供することである。
【課題を解決するための手段】
【０００６】
本発明は、撮像素子を有する撮像装置において、前記撮像装置の動画撮影及びライブビュー撮影を制御する制御部（１０）と、導電性のある樹脂材料によって成形される外装部品（１０１）と、外部機器との接続部となる第１の金属部材（１０２）と、前記金属部材と接続される第２の金属部材（１１５）と前記撮像装置の内部温度を測定する第１の温度測定手段（１９）と、外気温度を測定する第２の温度測定手段（２０）を備え、前記第２の温度測定手段（２０）は、前記外装部品（１０１）の撮像装置天面を覆う部分の内部かつ、前記第２の金属部材（１１５）の近傍に配置され、前記制御部（１０）は、前記第１の温度測定手段（１９）と、前記第２の温度測定手段（２０）によって取得される温度の差分値があらかじめ設定される所定の値を超えているか否かを判定し、超えている場合には動画撮影及びライブビュー撮影を停止もしくは、開始させないことを特徴とする。
【発明の効果】
【０００７】
本発明によれば、精度よく外気温を測定することを可能にした撮像装置を提供することができる。
【図面の簡単な説明】
【０００８】
【図１】本発明の実施形態に係るカメラの正面側の外観斜視図である。
【図２】本発明の実施形態に係るカメラの背面側の外観斜視図である。
【図３】本実施形態におけるデジタル一眼レフカメラのブロック図である。
【図４】本発明の実施形態に係るカメラの基板配置領域を示す図である。
【図５】本発明の実施形態に係るカメラの上面側の外観斜視図である。
【図６】本発明の実施形態に係るカメラのアクセサリシューとカメラ内部の接続構成を示す図である。
【図７】本発明の実施形態に係るカメラの外気温度測定温度計の配置について示した図である。
【図８】本発明の実施形態に係るカメラのフレキシブルプリント基板による接続を示した図である。
【図９】本発明の実施形態に係るカメラの動画撮影／ライブビュー撮影のシステム制御部１０の制御を示すフローチャートである。
【図１０】本発明の実施形態に係るカメラの外部機器接続時の温度計制御を示すフローチャートである。
【発明を実施するための形態】
【０００９】
以下、本発明の好適な実施形態について添付図面を参照して詳細に説明する。なお、以下の実施形態は特許請求の範囲に係る本発明を限定するものでなく、また本実施形態で説明されている特徴の組み合わせの全てが本発明の課題の解決に必須のものとは限らない。以下に、本発明の好ましい実施の形態を、添付の図面に基づいて詳細に説明する。
【００１０】
《カメラの構成》
撮像装置の構成について、図１から図３を用いて説明する。図１は本発明を適用したデジタル一眼レフカメラの正面側の外観斜視図である。図２は本発明を適用したデジタル一眼レフカメラの背面側の外観斜視図である。図３は本実施形態におけるデジタル一眼レフカメラのブロック図である。
【００１１】
デジタル一眼レフカメラ本体１００（以下、カメラ本体１００とする）の外装部品である上面外装カバー１０１に設けられた主電源スイッチ１０７がＯＮ位置へ操作されると、制御部であるシステム制御部１０は所定のシーケンスによりカメラを起動する。通常、電源がＯＦＦの状態では閃光装置である閃光ユニット１０３は収納位置に保持されている。
【００１２】
カメラ本体１００の上方には閃光ユニット１０３、第１の金属部材であるアクセサリシュー１０２、ファインダ接眼窓１１２が設けられている。カメラ本体１００背面には、カメラの撮影前情報や設定内容、また、撮影した画像などを表示可能なカラー液晶モニター１１０、動画撮影／ライブビュー撮影（以下、ＬＶ撮影とする）を開始させる動画撮影／ＬＶ撮影開始ボタン１１１が設けられている。カメラ本体１００の底面には三脚と接続される三脚座１０９が設けられている。
【００１３】
カメラ本体１００には、撮影画像を記録するＣｏｍｐａｃｔＦｌａｓｈ（ＣＦ）カードやＳＤカードなどの外部メモリを格納する収納部１１３が備えられている。
【００１４】
システム制御部１０は操作検出回路１２により操作部材の操作を検出すると、対応する設定を行う。例えば、撮影モードダイアル１０８が操作され撮影モードが選択されると、選択された撮影モードに対応したシャッタスピードと絞りとの組み合わせを決定するプログラム線図を設定する。また電子ダイヤル１０５が操作されると、露出補正などの設定を行う。ＩＳＯ感度設定ボタン１０６が操作されると、ＩＳＯ感度条件を設定する。
【００１５】
撮影モードダイアル１０８で自動設定モードが選択された場合における、一連の撮影動作を述べる。操作検出回路１２によりレリーズボタン１０４が第一の位置まで押し込まれたことが検知されると、システム制御１０は撮影条件制御回路１３を駆動し、適切なシャッタスピードと絞り値を決定するために、ファインダ１１２の近辺に設けられた不図示の測光センサにより被写体光を測光する。
【００１６】
得られた測光結果から被写体光が所定の輝度よりも低いと判断されると、システム制御部１０はモーター制御回路１４を駆動し、閃光ユニット１０３を発光位置まで移動させるべく不図示のモーターを駆動し、回転運動により所定の位置まで移動する（図１に示す状態）。
【００１７】
操作検出回路１２によりレリーズボタン１０４が第二の位置まで押し込まれたことが検知されると、不図示の撮像素子に被写体光が到達するように、システム制御部１０はモーター制御回路１４を駆動し、ミラーユニットを所定の位置に退避させ、不図示のシャッタを開放し、閃光制御回路１１を駆動し、所定のタイミングで発光させ被写体に適切な光を照射させる。
【００１８】
発光後、システム制御部１０はモーター制御回路１４を駆動し、所定の時間でシャッタを遮光状態とする。撮像素子に被写体光が到達した状態でシステム制御部１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００１９】
システム制御部１０は記録処理回路１７を駆動することで、得られた撮影画像データを不図示のメモリに記録する。撮影者が不図示の画像再生ボタンを操作すると、システム制御部１０は再生処理回路１８を駆動し、カメラ背面側に設けられた表示装置１１０に、メモリに保存されている撮影画像を表示させる。
【００２０】
第１の温度測定手段である内部温度測定温度計１９は、カメラ内部の温度を測定する温度計であり、カメラ本体１００の局所的に温度が高くなる箇所や、推奨される使用環境温度を超える恐れのあるＩＣの近傍に配置する。本実施形態においては三脚座１０９近傍の温度が局所的に熱くなるため、三脚座１０９近傍に配置する。なお、カメラ本体１００の構成によっては、熱が上昇する箇所は異なるため、三脚座１０９近傍に限らず、カメラ本体１００の構成に合わせた箇所に配置しても構わない。第２の温度測定手段である外気温度測定温度計２０は外気温を測定するための温度計であり、配置に関しては後述する。
【００２１】
システム制御部１０は内部温度測定温度計１９と外気温度測定温度計２０の情報を基に、カメラ動作の中でも特に回路を駆動させ、カメラを発熱させる動作である動画記録を停止させたり、ＬＶ撮影を停止させたり、カメラの発熱に関わる動作の制御をする。
【００２２】
動画撮影／ＬＶ撮影動作は、カメラ動作の中で最も回路が駆動し、電気部品が発熱する動作であり、カメラ本体１００の温度を最も上昇させる。温度の上昇具合によっては、カメラ本体１００と外気温との差が大きくなり、ユーザが不快に感じる恐れがあるため上記の制御が必要となる。詳細な制御方法に関しては後述する。
【００２３】
《外気温度測定温度計の配置》
カメラ本体１００内部には、電気部品等の発熱源が複数各所に設けられており、温度計の配置箇所によっては、電気部品の熱を受けてしまい、外気温度を精度よく測定することができない恐れがある。したがって、外気温を精度よく測定可能な箇所に、外気温度測定温度計２０を配置する必要がある。
【００２４】
まず、本実施形態のカメラ本体１００の発熱源について図４を用いて説明する。図４はカメラ本体１００内の基板の配置について示した図である。（Ａ）はカメラ本体１００の正面側の基板の配置を示した図であり、（Ｂ）はカメラ本体１００の背面側の基板の配置を示した図であり、（Ｃ）は断面図である。
【００２５】
斜線領域は本実施形態のカメラ本体１００における基板の配置領域を示しており、電気部品の大部分が分布される。電気部品がカメラ本体１００の発熱源となるため、図４に示す基板領域がカメラ本体１００において温度の高い箇所となり、（Ｃ）で示すように、基板はカメラ外装近傍に配置されているため、基板領域と面する外装部も温度が高くなる。
【００２６】
外気温度測定温度計２０は基板領域もしくは基板領域近傍に配置されると、電気部品の発熱による影響を受けてしまい、実際の外気温と同等の温度を測定することができない。そのため、外気温度測定温度計２０を基板領域から極力離れた位置に設けることが望ましい。したがって、外気温度測定温度計２０を図４に示すように基板領域から最も離れた箇所である上面外装カバー１０１の上面に配置する。外装部品が金属部材であると電気部品の発熱温度が外装部品を伝って電気部品周辺部から外気温度測定温度計２０周辺部まで伝えてしまうため、外気温度測定温度計２０は電気部品の発熱による影響を受けてしまう。したがって、上記熱による影響と、ＥＭＩや静電気の影響を考慮し、本実施形態において、上面外装カバー１０１を含む外装部品は導電性のある樹脂部材であることとする。
【００２７】
次に図５を用いて外気温度測定温度計２０と閃光ユニットの位置関係について説明する。図５はカメラ本体１００の上面図である。カメラ本体１００の上部には、ポップアップする閃光ユニット１０３が設けられている。
【００２８】
外気温度測定温度計２０は、外気温が変化した場合に、追従性よく外気温の変化を測定したい。そのため、外気温度測定温度計２０と外気の間に外装部品以外の部品が設けられることは望ましくない。また、閃光ユニット１０３が閃光する際の発熱の影響を受ける恐れがあるため、閃光ユニット１０３内に、外気温度測定温度計２０を設けることも望ましくない。したがって、図５に示すように、閃光ユニット１０３の無い斜線領域内に外気温度測定温度計２０を配置する。
【００２９】
次に、外気温度測定温度計２０とアクセサリシュー１０２の位置関係について図６、図７を用いて説明する。図６は、アクセサリシュー１０２とカメラ本体１００内部との接続構成について示した図である。図７は、外気温度測定温度計２０の詳細な配置について示した図である。まずは、図６を用いてアクセサリシュー１０２とカメラ本体１００内部の接続構成を説明する。
【００３０】
アクセサリシュー１０２は、上面外装カバー１０１と基板であるフレキシブルプリント基板１１４を介して、第２の金属部材である金属板１１５にビス１１６によってビス締めされることで固定される。フレキシブルプリント基板１１４は、アクセサリシュー１０２に外部機器が接続された際に、外部機器と通信する接点部と、金属板１１５との接点部が設けられている。金属板１１５との接点部に関しては詳細を後述する。
【００３１】
金属板１１５は金属部材であるため熱伝導率が高く、また外気と接するアクセサリシュー１０２と接続されているため、外気温と同等の温度であるといえる。外気温度測定温度計２０は外気温に対して、追従性よく温度を測定したいため、図７に示すように、金属板１１５と接点を持つフレキシブルプリント基板１１４に実装し、かつ金属板１１５近傍に配置する。
【００３２】
《基板内配線について》
フレキシブルプリント基板１１４内の配線について図８を用いて説明する。図８はフレキシブルプリント基板１１４内の配線による接続について示した図である。フレキシブルプリント基板１１４内の配線によって、外気温度測定温度計２０とシステム制御部１０と金属板１１５と上面外装カバー１０１は配線による接続を持つ。
【００３３】
外気温度測定温度計２０とシステム制御部１０との接続は、外気温度測定温度計２０とシステム制御部１０間で電力、温度情報等をやりとりするための第１の接続２０１である。
【００３４】
外気温度測定温度計２０と金属板１１５との接続は、外気温の変化を追従性良く測定するための第２の接続２０２である。外気と接するアクセサリシュー１０２との接続される金属板１１５と、基板内配線によって接続することで、外気温の変化を外気温度測定温度計２０に伝える。
【００３５】
次に、第１の接続２０１と、第２の接続２０２の関係について説明する。本実施形態では、フレキシブルプリント基板１１４内の配線幅を、第１の接続２０１よりも第２の接続２０２を太くする。第１の接続２０１によるシステム制御部１０からの電気部品の発熱による熱の伝達量よりも、第２の接続２０２による外気温との接続が大きくなることで、外気温度測定温度計２０は、電気部品による影響を低減し、かつ外気温の変化を追従性よく外気温を測定することが可能となる。
【００３６】
次に、静電気対策に関するフレキシブルプリント基板１１４内の配線について説明する。金属板１１５は上面外装カバー１０１と、フレキシブルプリント基板１１４内の配線によって第３の接続２０３を持つ。フレキシブルプリント基板１１４内の配線幅を、第２の接続２０２よりも第３の接続２０３を太くする。その結果、アクセサリシュー１０２から静電気が入ってきた場合においても、静電気はより強い接続の方に流れるため、外気温度測定温度計２０ではなく、上面外装カバー１０１へと流れることとなる。
【００３７】
《動画撮影／ＬＶ撮影時の温度制御に関して》
システム制御部１０の動画撮影／ＬＶ撮影の温度制御について、図１０を用いて説明する。図１０は、動画撮影／ＬＶ撮影の温度制御を行う際のシステム制御部１０の動作について示すフローチャートである。
【００３８】
まず、Ｓ１にて、システム制御部１０は、動画撮影／ＬＶ撮影開始入力ボタンが入力されたか否かを判定する。Ｓ１にて、動画撮影／ＬＶ撮影が開始されなかった場合にはＳ２に移行する。Ｓ２では、主電源スイッチ１０７がＯＦＦ入力されたか否かを判定する。入力された場合カメラ電源はＯＦＦされる。入力されなかった場合には、Ｓ１に移行する。
【００３９】
Ｓ１にて、動画撮影／ＬＶ撮影が開始された場合には、Ｓ３に移行する。Ｓ３では、システム制御部１０は外気温度測定温度計２０によって取得される外気温度と、内部温度測定温度計１９によって取得されるカメラ本体１００の内部温度の情報を受け取り、外気温と内部温度の差分温度Ｘを算出し、Ｘがあらかじめ設定される所定の値Ｙを超えているか否かを判定する。
【００４０】
Ｓ３にて差分温度Ｘが、所定の値Ｙを超えている場合、Ｓ４に移行し動画撮影／ＬＶ撮影開始入力を拒否しＳ１に移行する。Ｘが所定の値Ｙ以下の場合、Ｓ５に移行し、動画撮影／ＬＶ撮影を開始する。その後、Ｓ６へ移行する。Ｓ６では、差分温度Ｘが所定の値Ｙを超えているか否かを判定する。差分温度Ｘが所定の値Ｙを超えている場合、Ｓ７へ移行して動画撮影／ＬＶ撮影を停止し、Ｓ１へと移行する。Ｓ６にて差分温度Ｘが所定の値Ｙ以下の場合、Ｓ８へと移行し、あらかじめ設定されている所定の値Ｚ秒間、動画撮影／ＬＶ撮影を継続する。その後Ｓ６へと移行する。
【００４１】
動画撮影／ＬＶ撮影動作は、カメラ動作の中で最も回路が駆動し、電気部品が発熱する動作であり、カメラ本体１００の温度を最も上昇させる。温度の上昇具合によっては、カメラ本体１００と外気温との差が大きくなり、ユーザが不快に感じる恐れがあるため上記の制御が必要である。所定の値Ｙには、ユーザが許容できる差分温度を設定する。差分温度Ｘが所定の値Ｙを超えると動画撮影／ＬＶ撮影を停止させるため、所定の値Ｙ以上にカメラ温度が高くなることはなく、ユーザに不快感を与えることはない。
【００４２】
《外部機器が接続された場合の制御》
図１１は外部機器が接続された際のシステム制御部１０の動作について示したフローチャートであり、図１１を用いて外部機器が接続された際の温度制御について説明する。
【００４３】
まず、カメラ本体１００がＯＮされると、Ｓ１１に移行し外気温度測定温度計２０は外気温を測定し、Ｓ１２へと移行する。Ｓ１２でシステム制御部１０はフレキシブルプリント基板１１４のアクセサリシュー１０２との接点部から、外部機器からの信号が通信されているか否かを検知し、通信されている場合には外部機器が接続されていると判定する。外部機器が接続されていないと判定された場合、Ｓ１３へと移行し、主電源スイッチ１０７がＯＦＦ入力されたかを判定する。ＯＦＦ入力された場合には、カメラ電源をＯＦＦにする。主電源スイッチ１０７がＯＦＦ入力されない場合には、Ｓ１１へと移行する。
【００４４】
Ｓ１２にて、外部機器が接続されていると判定された場合には、Ｓ１４へと移行し、外部機器接続直前に取得した温度情報をシステム制御部１０は記憶する。その後、Ｓ１２に移行し、外部機器が接続されているか否かを判定する。システム制御部１０は、カメラの電源がＯＮされている間、あらかじめ設定されている所定の値Ｚ秒周期で、本フローチャートを繰り返し行う。
【００４５】
上記の制御を行うことで、システム制御部１０は、外部機器の熱の影響を受けた温度を外気温度として扱うことなく、カメラ動作を制御することが出来る。
【００４６】
以上のように本発明の実施形態によれば、外気温度測定温度計２０を上面外装カバー１０１の上面かつ、金属板１１５の近傍に配置し、外気温度測定温度計２０はシステム制御部１０との基板内配線幅よりも、太い配線幅で金属板１１５と接続される。上述した外気温度測定温度計２０の配置とすることで、精度よく外気温度を測定可能な撮像装置を提供可能である。
【符号の説明】
【００４７】
１０：システム制御部
２０：外気温度測定温度計
１００：カメラ本体
１０１：上面外装カバー
１０２：アクセサリシュー
１１４：フレキシブルプリント基板
１１５：金属板
【図１】
2015186064.tif 000003
【図２】
2015186064.tif 000004
【図３】
2015186064.tif 000005
【図４】
2015186064.tif 000006
【図５】
2015186064.tif 000007
【図６】
2015186064.tif 000008
【図７】
2015186064.tif 000009
【図８】
2015186064.tif 000010
【図９】
2015186064.tif 000011
【図１０】
2015186064.tif 000012